(57)【要約】【課題】底板を組み立てるために従来必要であった底板形成用フラップの糊付け作業を不要とし、組み立てが簡単な段ボール板製の包装箱を提供する。【解決手段】２組の対向側板１，１、２，２と、この２組の対向側板１，１、２，２の下端に連設された底板形成用フラップ３，３、４，４と、同じく２組の対向側板１，１、２，２の上端に連設された上蓋形成用フラップ５，５、６，６とから構成されてなり、前記底板形成用フラップ３，３、４，４は一側部では斜めの切除部３ａ、４ａが形成され、また他側部では対向側板１，１、２，２との連設部における隅部から斜めの罫線３ｂ、４ｂが形成され、この罫線３ｂ、４ｂの外側部分３ｃ、４ｃを罫線３ｂ、４ｂに沿って折り曲げ自在とし、４枚の底板形成用フラップ３，３、４，４が互いに噛み合わさった底板が形成されるように構成した。【選択図】    図２
2005280765.tif 000002
【特許請求の範囲】
【請求項１】
２組の対向側板と、この２組の対向側板の下端に連設された底板形成用フラップと、同じく２組の対向側板の上端に連設された上蓋形成用フラップとから構成されてなり、前記底板形成用フラップは一側部では斜めの切除部が形成され、また他側部では対向側板との連設部における隅部から斜めの罫線が形成され、この罫線の外側部分を罫線に沿って折り曲げ自在とし、１組の対向側板の下端に連設された底板形成用フラップを閉じるように折り曲げ、次に他の組の対向側板の下端に連設された底板形成用フラップを閉じるように折り曲げてこの底板形成用フラップを１組の対向側板の下端に連設された底板形成用フラップに重ねた状態とし、かかる状態で他の組の対向側板の下端に連設された底板形成用フラップを包装箱の内部に押し込むことによりその力で底板形成用フラップも押し込まれ、他の組の対向側板の下端に連設された底板形成用フラップの他側部の罫線の外側部分は１組の対向側板の下端に連設された底板形成用フラップの切除部が形成された一側部に当たりながら折れ曲って１組の対向側板の下端に連設された底板形成用フラップの一側部内側に入って係合し、他の組の対向側板の下端に連設された底板形成用フラップの一側部は１組の対向側板の下端に連設された底板形成用フラップの他側部外面に当接した状態となって４枚の底板形成用フラップが互いに噛み合わさった底板が形成されるように構成したことを特徴とする段ボール板製包装箱。
【請求項２】
罫線の外側部分の段を潰してあることを特徴とする請求項１記載の段ボール板製包装箱。
【発明の詳細な説明】
【技術分野】
【０００１】
本発明は、段ボール板製の包装箱に関するものである。
【背景技術】
【０００２】
従来の段ボール板からなる包装箱にあっては、特許文献１に開示されているような折り畳み式段ボール箱が知られている。
この特許文献１に開示されている折り畳み式段ボール箱の底板は、一端側において折り目を介して三角形の糊付け部が設けられた長手側の２枚の底片部と、幅側の２枚の底片部とからなり、前記長手側の２枚の底片部の内、一方の底片部の糊付け部を幅側の２枚の底片部の内、一方の底片部の一端側裏面に糊付けし、また前記長手側の他方の底片部の糊付け部を幅側の他方の底片部の一端側裏面に糊付けし、前記幅側の一方の底片部の他端側を長手側の他方の底片部の他端側裏面に重なるとともに前記幅側の他方の底片部の他端側を長手側の一方の底片部の他端側裏面に重なるように組み立てられる。
【特許文献１】実公平５−１８２６０号公報
【発明の開示】
【発明が解決しようとする課題】
【０００３】
上記特許文献１に開示されている折り畳み式段ボール箱にあっては、底板を組み立てるために長手側の一方の底片部の糊付け部を幅側の一方の底片部の一端側裏面に糊付けし、また前記長手側の他方の底片部の糊付け部を幅側の他方の底片部の一端側裏面に糊付けしなければならず、つまり底板を組み立てる前に糊付け作業が必要となり、折り畳み式段ボール箱を作る工程での作業性に問題があった。
【０００４】
本発明の目的は、このような課題を解決するものであり、底板を組み立てるために従来必要であった底板形成用フラップの糊付け作業を不要とし、組み立てが簡単な段ボール板製の包装箱を提供することにある。
【課題を解決するための手段】
【０００５】
本発明の請求項１に記載の段ボール板製包装箱は、２組の対向側板と、この２組の対向側板の下端に連設された底板形成用フラップと、同じく２組の対向側板の上端に連設された上蓋形成用フラップとから構成されてなり、前記底板形成用フラップは一側部では斜めの切除部が形成され、また他側部では対向側板との連設部における隅部から斜めの罫線が形成され、この罫線の外側部分を罫線に沿って折り曲げ自在とし、１組の対向側板の下端に連設された底板形成用フラップを閉じるように折り曲げ、次に他の組の対向側板の下端に連設された底板形成用フラップを閉じるように折り曲げてこの底板形成用フラップを１組の対向側板の下端に連設された底板形成用フラップに重ねた状態とし、かかる状態で他の組の対向側板の下端に連設された底板形成用フラップを包装箱の内部に押し込むことによりその力で底板形成用フラップも押し込まれ、他の組の対向側板の下端に連設された底板形成用フラップの他側部の罫線の外側部分は１組の対向側板の下端に連設された底板形成用フラップの切除部が形成された一側部に当たりながら折れ曲って１組の対向側板の下端に連設された底板形成用フラップの一側部内側に入って係合し、他の組の対向側板の下端に連設された底板形成用フラップの一側部は１組の対向側板の下端に連設された底板形成用フラップの他側部外面に当接した状態となって４枚の底板形成用フラップが互いに噛み合わさった底板が形成されるように構成したことを特徴とする。
【０００６】
請求項２に記載の段ボール板製包装箱は、罫線の外側部分の段を潰してあることを特徴とする。
【発明の効果】
【０００７】
以上のように、本発明の段ボール板製包装箱は、底板の組み立てのために接着剤などによる固定接合部が不要となり、他の組の対向側板の下端に連設された底板形成用フラップを包装箱の内部に押し込むという極めて簡単な作業で底板の組み立てが行なえるものである。また、罫線の外側部分の段を潰してあることにより、底板の組み立ての際、罫線の外側部分が折れ曲り易くなり、作業性をより向上させることができる。
【発明を実施するための最良の形態】
【０００８】
以下、本発明の一実施の形態を、図１〜図５を用いて具体的に説明する。
図において、本発明の一実施の形態の段ボール板製包装箱は、１組の長辺側の対向側板１，１と、１組の短辺側の対向側板２，２と、これら２組の対向側板１，１および２，２の下端に連設された底板形成用フラップ３，３および４，４と、同じく２組の対向側板１，１および２，２の上端に連設された上蓋形成用フラップ５，５および６，６とから構成され、長辺側の一方の側板１の端部に連設した糊代片７を短辺側の一方の側板２の端部の内側に接合させて２組の対向側板１，１および２，２により角筒状としている。
【０００９】
前記底板形成用フラップ３，３および４，４は一側部では斜めの切除部３ａ，３ａおよび４ａ，４ａが形成され、また他側部では対向側板１，１および２，２との連設部における隅部から斜めの罫線３ｂ，３ｂおよび４ｂ，４ｂが形成され、この罫線３ｂ，３ｂおよび４ｂ，４ｂの外側部分３ｃ，３ｃおよび４ｃ，４ｃ、つまり角部分を罫線３ｂ，３ｂおよび４ｂ，４ｂに沿って折り曲げ自在としている。そして、底板形成用フラップ３，３および４，４を組み立てることにより底板を形成するときは、前記長辺側の一方の側板１の端部に連設した糊代片７を短辺側の一方の側板２の端部の内側に接合させて角筒状とした包装箱を上下逆にした状態で長辺側の対向側板１，１の下端に連設された底板形成用フラップ３，３を閉じるように折り曲げ、次に短辺側の対向側板２，２の下端に連設された底板形成用フラップ４，４を閉じるように折り曲げてこの底板形成用フラップ４，４を底板形成用フラップ３，３に重ねた状態とし、かかる状態で底板形成用フラップ４，４を包装箱の内部に押し込むことによりその力で底板形成用フラップ３，３も押し込まれ、底板形成用フラップ４，４の他側部の罫線４ｂ，４ｂの外側部分４ｃ，４ｃは底板形成用フラップ３，３の切除部３ａ，３ａが形成された一側部に当たりながら折れ曲って底板形成用フラップ３，３の一側部内側に入って係合し、底板形成用フラップ４，４の一側部は底板形成用フラップ３，３の他側部外面に当接した状態となる。この状態では４枚の底板形成用フラップ３，３および４，４は包装箱の内方に折れ曲った状態にあるため、包装箱の上下を元に戻し、上から底板形成用フラップ３，３および４，４を押してフラットな状態とすることにより４枚の底板形成用フラップ３，３および４，４が互いに噛み合わさった底板が形成される。
【００１０】
また、前記上蓋形成用フラップ５，５および６，６は２組の対向側板１，１および２，２との連設部から先端までの寸法が比較的短く、閉じた状態において包装箱の中央で開口部が存在する上蓋が形成されるようになっており、前述のようにして底板が組み立てられた包装箱の内部に野菜などの被収納物が収納された後、長辺側の上蓋形成用フラップ５，５を閉じるように折り曲げ、次に短辺側の上蓋形成用フラップ６，６を閉じるように折り曲げて、この上蓋形成用フラップ６，６の角部を上蓋形成用フラップ５，５に形成された切り込み孔５ａ，５ａに差し込むことにより中央で開口部が存在する上蓋が形成される。
【００１１】
８は短辺側の対向側板２，２の中央部に形成された取手孔で、通気孔の役目もする。
以上のように本実施の形態の包装箱は、底板および上蓋ともに接着剤などによる固定接合部が不要となり、極めて簡単に組み立てが行なえるものである。そして、本実施の形態の包装箱は上蓋の中央で開口部が存在することにより、通気性を必要とする野菜などの包装箱として好適に使用できるものである。
【００１２】
なお、上記した底板の組み立て作業は長辺側の対向側板１，１の下端に連設された底板形成用フラップ３，３を閉じるように先に折り曲げ、次に短辺側の対向側板２，２の下端に連設された底板形成用フラップ４，４を閉じるように折り曲げてこの底板形成用フラップ４，４を底板形成用フラップ３，３に重ねた状態とし、かかる状態で底板形成用フラップ４，４を包装箱の内部に押し込んでいるが、短辺側の対向側板２，２の下端に連設された底板形成用フラップ４，４を閉じるように先に折り曲げ、続いて長辺側の対向側板１，１の下端に連設された底板形成用フラップ３，３を閉じるように折り曲げて底板形成用フラップ３，３を包装箱の内部に押し込むようにしても底板の組み立てが行なえるものである。さらに、この底板の組み立ての際、前記罫線３ｂ，３ｂおよび４ｂ，４ｂの外側部分３ｃ，３ｃおよび４ｃ，４ｃが折れ曲り易くするために、罫線３ｂ，３ｂおよび４ｂ，４ｂの外側部分３ｃ，３ｃおよび４ｃ，４ｃの段（波板）を潰しておくと作業性を向上させることができる。
【図面の簡単な説明】
【００１３】
【図１】本発明の一実施の形態における包装箱の展開図である。
【図２】（Ａ）〜（Ｃ）は同包装箱の底板の組み立て順序を示す斜視図である。
【図３】同包装箱の底板の組み立て完成状態を示す斜視図である。
【図４】同底板が組み立てられた包装箱の上蓋が開かれた状態を示す斜視図である。
【図５】同包装箱の上蓋の組み立て完成状態を示す斜視図である。
【符号の説明】
【００１４】
１            長辺側の側板
２            短辺側の側板
３，４        底板形成用フラップ
３ａ，４ａ    切除部
３ｂ，４ｂ    罫線
３ｃ，４ｃ    外側部分
５，６        上蓋形成用フラップ
５ａ          切り込み孔
７            糊代片
【図１】
2005280765.tif 000003
【図２】
2005280765.tif 000004
【図３】
2005280765.tif 000005
【図４】
2005280765.tif 000006
【図５】
2005280765.tif 000007